(57)【要約】  本公開は、スプライススクリーンの画像処理方法および装置、スプライススクリーンを供する。前記画像処理方法は、前記複数の表示ユニットの解像度、前記スプライススクリーンの水平綴り幅の和と前記複数の表示ユニットの水平画素ピッチに基づいて、前記スプライススクリーンの水平引伸し係数を算出するステップと、前記複数の表示ユニットの解像度、前記スプライススクリーンの垂直綴り幅の和と前記複数の表示ユニットの垂直画素ピッチに基づいて、前記スプライススクリーンの垂直引伸し係数を算出するステップと、前記水平引伸し係数と前記垂直引伸し係数に基づいて、前記スプライススクリーンの表示しようとする初期画像を引き伸ばし、ターゲット画像を得るステップと、前記ターゲット画像に基づいて前記スプライススクリーンにおける各前記表示ユニットの表示を制御するステップとを含む。
2021531488.tif 000002
【特許請求の範囲】
【請求項１】
アレイ状に配置された複数の表示ユニットを含み、各前記表示ユニットがアレイ状に配置された複数の画素ユニットを含むスプライススクリーンの画像処理方法であって、
前記複数の表示ユニットの解像度、前記スプライススクリーンの水平綴り幅の和と前記複数の表示ユニットの水平画素ピッチに基づいて、前記スプライススクリーンの水平引伸し係数を算出するステップと、
前記複数の表示ユニットの解像度、前記スプライススクリーンの垂直綴り幅の和と前記複数の表示ユニットの垂直画素ピッチに基づいて、前記スプライススクリーンの垂直引伸し係数を算出するステップと、
前記水平引伸し係数と前記垂直引伸し係数に基づいて、前記スプライススクリーンの表示しようとする初期画像を引き伸ばし、ターゲット画像を得るステップと、
前記ターゲット画像に基づいて前記スプライススクリーンにおける各前記表示ユニットの表示を制御するステップと、を含む、
スプライススクリーンの画像処理方法。
【請求項２】
同じ行に隣接して位置する各2つの前記表示ユニット間の各水平綴り幅と、同じ列に隣接して位置する各2つの前記表示ユニット間の各垂直綴り幅とを取得するステップと、
前記各水平綴り幅に基づいて水平綴り幅の和を算出するステップと、
前記各垂直綴り幅に基づいて垂直綴り幅の和を算出するステップとにより、
前記水平綴り幅の和と前記垂直綴り幅の和とを得る、
請求項1に記載のスプライススクリーンの画像処理方法。
【請求項３】
前記スプライススクリーンの前記複数の表示ユニットは同じ解像度を有し、
前記複数の表示ユニットのうちの任意の表示ユニットにおいて同じ行に隣接して位置する任意の2つの前記画素ユニット間のピッチを前記水平画素ピッチとして取得し、
前記複数の表示ユニットのうちの任意の表示ユニットにおいて同じ列に隣接して位置する任意の2つの前記画素ユニット間のピッチを前記垂直画素ピッチとして取得する、
請求項1または2に記載のスプライススクリーンの画像処理方法。
【請求項４】
前記ターゲット画像に基づいて前記スプライススクリーンにおける各前記表示ユニットの表示を制御する前記ステップは、
前記複数の表示ユニットの解像度、前記水平画素ピッチ、前記垂直画素ピッチ、前記各水平綴り幅および前記各垂直綴り幅に基づいて、前記表示ユニットごとの各頂点画素ユニットの位置情報を算出するステップと、
前記表示ユニットごとの各頂点画素ユニットの位置情報に基づいて、前記ターゲット画像において当該表示ユニットに対応するサブターゲット画像を切り取るステップと、
前記複数の表示ユニットの表示しようとするサブターゲット画像に基づいて、前記複数の表示ユニットを制御し表示を行なうステップとを含む、
請求項2または3に記載のスプライススクリーンの画像処理方法。
【請求項５】
前記ターゲット画像に基づいて前記スプライススクリーンにおける各前記表示ユニットの表示を制御する前記ステップは、
前記水平画素ピッチ、前記垂直画素ピッチ、前記各水平綴り幅および前記各垂直綴り幅に基づいて、前記各水平綴りと前記各垂直綴りの位置に設置できる画素ユニットの個数を算出するステップと、
前記複数の表示ユニットの解像度および算出した前記各水平綴りおよび前記各垂直綴りの位置に設置できる画素ユニットの個数に基づいて、前記スプライススクリーンのターゲット解像度を取得するステップと、
各前記表示ユニットの行方向をX軸とし、各前記表示ユニットの列方向をY軸として二次元座標系を構築し、前記表示ユニットごとの各画素ユニットの位置情報、前記各水平綴りおよび前記各垂直綴りの位置に設置できる各前記画素ユニットの位置情報をいずれも（x，y）座標点により表すステップと、
各前記表示ユニットにおける4つの頂点位置の前記画素ユニットの座標点に基づいて、ターゲット画像において当該4つの座標点により限定される領域に対応するサブターゲット画像を切り取るステップと、
前記複数の表示ユニットの表示しようとするサブターゲット画像に基づいて、前記複数の表示ユニットを制御し表示を行なうステップと、を含む
請求項2〜4のいずれか一項に記載のスプライススクリーンの画像処理方法。
【請求項６】
前記スプライススクリーンの前記複数の表示ユニットは同じ解像度を有し、
前記複数の表示ユニットの解像度、前記スプライススクリーンの水平綴り幅の和と前記複数の表示ユニットの水平画素ピッチに基づいて、前記スプライススクリーンの水平引伸し係数を算出する前記ステップは、（Px+(Ht/M)/A）/Pxという公式を用いて算出し、
前記複数の表示ユニットの解像度、前記スプライススクリーンの垂直綴り幅の和と前記複数の表示ユニットの垂直画素ピッチに基づいて、前記スプライススクリーンの垂直引伸し係数を算出する前記ステップは、（Py+(Vt/N)/B）/Pyという公式を用いて算出し、
ここでPxは各表示ユニットの同じ行に位置する前記画素ユニットの個数であり、Pyは各表示ユニットの同じ列に位置する前記画素ユニットの個数であり、Htは前記水平綴り幅の和であり、Vtは前記垂直綴り幅の和であり、Aは前記水平画素ピッチであり、Bは前記垂直画素ピッチであり、MとNはそれぞれ前記スプライススクリーンが備える前記複数の表示ユニットのアレイの列数と行数である、
請求項1〜5のいずれか一項に記載のスプライススクリーンの画像処理方法。
【請求項７】
前記水平引伸し係数と前記垂直引伸し係数に基づいて、前記スプライススクリーンの表示しようとする初期画像を引き伸ばし、ターゲット画像を得る前記ステップは、
前記水平引伸し係数と前記垂直引伸し係数に基づいて、前記スプライススクリーンの表示しようとする初期画像を補間アルゴリズムにより引き伸ばし、ターゲット画像を得るステップを含む、
請求項1〜6のいずれか一項に記載のスプライススクリーンの画像処理方法。
【請求項８】
前記複数の表示ユニットのうちの任意の表示ユニットにおいて同じ行に隣接して位置する各2つの前記画素ユニット間のピッチを取得する前記ステップは、距離測定ユニットにより当該ピッチを取得することを含み、
前記複数の表示ユニットのうちの任意の表示ユニットにおいて同じ列に隣接して位置する各2つの前記画素ユニット間のピッチを取得する前記ステップは、距離測定ユニットにより当該ピッチを取得することを含む、
請求項3に記載のスプライススクリーンの画像処理方法。
【請求項９】
アレイ状に配置された複数の表示ユニットを含み、各前記表示ユニットがアレイ状に配置された複数の画素ユニットを含むスプライススクリーンの画像処理装置であって、
前記複数の表示ユニットの解像度、前記スプライススクリーンの水平綴り幅の和と前記複数の表示ユニットの水平画素ピッチに基づいて、前記スプライススクリーンの水平引伸し係数を算出し、前記複数の表示ユニットの解像度、前記スプライススクリーンの垂直綴り幅の和と前記複数の表示ユニットの垂直画素ピッチに基づいて、前記スプライススクリーンの垂直引伸し係数を算出するための中央プロセッサと、
前記水平引伸し係数と前記垂直引伸し係数に基づいて、前記スプライススクリーンの表示しようとする初期画像を引き伸ばし、ターゲット画像を得るための画像引伸しユニットと、
前記ターゲット画像に基づいて前記スプライススクリーンにおける各前記表示ユニットの表示を制御するための制御ユニットと、を備える、
スプライススクリーンの画像処理装置。
【請求項１０】
同じ行に隣接して位置する各2つの前記表示ユニット間の各水平綴り幅を取得するための第1距離測定ユニットと、
同じ列に隣接して位置する各2つの前記表示ユニット間の各垂直綴り幅を取得するための第2距離測定ユニットと、
前記各水平綴り幅に基づいて水平綴り幅の和を算出し、前記各垂直綴り幅に基づいて垂直綴り幅の和を算出する第1算出ユニットとを含む、
請求項9に記載のスプライススクリーンの画像処理装置。
【請求項１１】
前記スプライススクリーンの前記複数の表示ユニットは同じ解像度を有し、
前記中央プロセッサはさらに、前記複数の表示ユニットのうちの任意の表示ユニットにおいて同じ行に隣接して位置する任意の2つの前記画素ユニット間のピッチを前記水平画素ピッチとして取得することに用いられ、
前記中央プロセッサはさらに、前記複数の表示ユニットのうちの任意の表示ユニットにおいて同じ列に隣接して位置する任意の2つの前記画素ユニット間のピッチを前記垂直画素ピッチとして取得することに用いられる、
請求項9または10に記載のスプライススクリーンの画像処理装置。
【請求項１２】
前記制御ユニットは、
前記複数の表示ユニットの解像度、前記水平画素ピッチ、前記垂直画素ピッチ、前記各水平綴り幅および前記各垂直綴り幅に基づいて、前記表示ユニットごとの各頂点画素ユニットの位置情報を算出するための分析サブユニットと、
前記表示ユニットごとの各頂点画素ユニットの位置情報に基づいて、前記ターゲット画像において当該表示ユニットに対応するサブターゲット画像を切り取るための切取りサブユニットと、
前記複数の表示ユニットの表示しようとするサブターゲット画像に基づいて、前記複数の表示ユニットを制御し表示を行なうための制御サブユニットと、を含む、
請求項9〜11のいずれか一項に記載のスプライススクリーンの画像処理装置。
【請求項１３】
前記第1距離測定ユニットおよび第2距離測定ユニットはそれぞれ赤外線距離測定センサまたは赤外線距離測定器を含む、
請求項10に記載のスプライススクリーンの画像処理装置。
【請求項１４】
前記第1距離測定ユニットおよび第2距離測定ユニットはそれぞれ赤外線発信器および赤外線受信器を含み、前記第1距離測定ユニットの赤外線発信器と赤外線受信器はそれぞれ各前記表示ユニットの行方向の2つの対向辺上にあり、前記第2距離測定ユニットの赤外線発信器と赤外線受信器はそれぞれ各前記表示ユニットの列方向の2つの対向辺上にある、
請求項10または13に記載のスプライススクリーンの画像処理装置。
【請求項１５】
前記第1算出ユニットが前記中央プロセッサに統合されている、
請求項10に記載のスプライススクリーンの画像処理装置。
【請求項１６】
前記画像引伸しユニットはFPGAを含む、
請求項9〜15のいずれか一項に記載のスプライススクリーンの画像処理装置。
【請求項１７】
前記制御ユニットは汎用プロセッサ、画像プロセッサ（GPU）、およびマイクロプロセッサのうちの少なくとも1つを含む、
請求項9〜16のいずれか一項に記載のスプライススクリーンの画像処理装置。
【請求項１８】
請求項9〜17のいずれか一項に記載のスプライススクリーンの画像処理装置を含む、
スプライススクリーン。
【請求項１９】
アレイ状に配置された前記複数の表示ユニットをさらに備え、前記複数の表示ユニットはそれぞれ前記画像引伸しユニットに接続され、また前記画像引伸しユニットは前記制御ユニットに接続される、
請求項18に記載のスプライススクリーン。
【請求項２０】
コンピュータプログラム命令と画像処理関連のデータとを記憶し、前記コンピュータプログラム命令が前記中央プロセッサによって実行される際に、第1算出ユニットおよび/または前記取得ユニットとして機能するメモリをさらに含む、
請求項18または19に記載のスプライススクリーン。
【発明の詳細な説明】
【技術分野】
【０００１】
関連出願の相互参照
本願は、2018年7月13日に提出された第201810771533.8号中国特許出願の優先権を主張し、そのすべての内容を参照により本願に援用する。
【０００２】
本願は表示技術分野に属し、具体的にはスプライススクリーンの画像処理方法および装置、スプライススクリーンに関するものである。
【背景技術】
【０００３】
情報化社会の急速な発展に伴い、情報の可視化需要も急速に拡大している。単一の表示ユニット（例えば単一のディスプレイ）によって提供される表示領域の面積は、ユーザの需要を満たすには既にほど遠い。したがって、複数の表示ユニットを備えるスプライススクリーンがますます人気を集めている。
【発明の概要】
【０００４】
本発明の実施例では、スプライススクリーンの画像処理方法、スプライススクリーンの画像処理装置およびスプライススクリーンを提供する。
【０００５】
本願の一形態では、
アレイ状に配置された複数の表示ユニットを含み、各前記表示ユニットがアレイ状に配置された複数の画素ユニットを含むスプライススクリーンの画像処理方法であって、
前記複数の表示ユニットの解像度、前記スプライススクリーンの水平綴り幅の和と前記複数の表示ユニットの水平画素ピッチに基づいて、前記スプライススクリーンの水平引伸し係数を算出するステップと、
前記複数の表示ユニットの解像度、前記スプライススクリーンの垂直綴り幅の和と前記複数の表示ユニットの垂直画素ピッチに基づいて、前記スプライススクリーンの垂直引伸し係数を算出するステップと、
前記水平引伸し係数と前記垂直引伸し係数に基づいて、前記スプライススクリーンの表示しようとする初期画像を引き伸ばし、ターゲット画像を得るステップと、
前記ターゲット画像に基づいて前記スプライススクリーンにおける各前記表示ユニットの表示を制御するステップと、を含む、
スプライススクリーンの画像処理方法を提供する。
【０００６】
一実施例において、
同じ行に隣接して位置する各2つの前記表示ユニット間の各水平綴り幅と、同じ列に隣接して位置する各2つの前記表示ユニット間の各垂直綴り幅とを取得するステップと、
前記各水平綴り幅に基づいて水平綴り幅の和を算出するステップと、
前記各垂直綴り幅に基づいて垂直綴り幅の和を算出するステップとにより、
前記水平綴り幅の和と前記垂直綴り幅の和とを得る。
【０００７】
一実施例において、
前記スプライススクリーンの前記複数の表示ユニットは同じ解像度を有し、
前記複数の表示ユニットのうちの任意の表示ユニットにおいて同じ行に隣接して位置する任意の2つの前記画素ユニット間のピッチを前記水平画素ピッチとして取得し、
前記複数の表示ユニットのうちの任意の表示ユニットにおいて同じ列に隣接して位置する任意の2つの前記画素ユニット間のピッチを前記垂直画素ピッチとして取得する。
【０００８】
一実施例において、
前記ターゲット画像に基づいて前記スプライススクリーンにおける各前記表示ユニットの表示を制御する前記ステップは、
前記複数の表示ユニットの解像度、前記水平画素ピッチ、前記垂直画素ピッチ、前記各水平綴り幅および前記各垂直綴り幅に基づいて、前記表示ユニットごとの各頂点画素ユニットの位置情報を算出するステップと、
前記表示ユニットごとの各頂点画素ユニットの位置情報に基づいて、前記ターゲット画像において当該表示ユニットに対応するサブターゲット画像を切り取るステップと、
前記複数の表示ユニットの表示しようとするサブターゲット画像に基づいて、前記複数の表示ユニットを制御し表示を行なうステップとを含む。
【０００９】
一実施例において、
前記ターゲット画像に基づいて、前記スプライススクリーンにおける各前記表示ユニットの表示を制御する前記ステップは、
前記水平画素ピッチ、前記垂直画素ピッチ、前記各水平綴り幅および前記各垂直綴り幅に基づいて、前記各水平綴りと前記各垂直綴りの位置に設置できる画素ユニットの個数を算出するステップと、
前記複数の表示ユニットの解像度および算出した前記各水平綴りおよび前記各垂直綴りの位置に設置できる画素ユニットの個数に基づいて、前記スプライススクリーンのターゲット解像度を取得するステップと、
各前記表示ユニットの行方向をX軸とし、各前記表示ユニットの列方向をY軸として二次元座標系を構築し、前記表示ユニットごとの各画素ユニットの位置情報、前記各水平綴りおよび前記各垂直綴りの位置に設置できる各前記画素ユニットの位置情報をいずれも（x，y）座標点により表すステップと、
各前記表示ユニットにおける4つの頂点位置の前記画素ユニットの座標点に基づいて、ターゲット画像において当該4つの座標点により限定される領域に対応するサブターゲット画像を切り取るステップと、
前記複数の表示ユニットの表示しようとするサブターゲット画像に基づいて、前記複数の表示ユニットを制御し表示を行なうステップと、を含む。
【００１０】
一実施例において、
前記スプライススクリーンの前記複数の表示ユニットは同じ解像度を有し、
前記複数の表示ユニットの解像度、前記スプライススクリーンの水平綴り幅の和と前記複数の表示ユニットの水平画素ピッチに基づいて、前記スプライススクリーンの水平引伸し係数を算出する前記ステップは、（Px+(Ht/M)/A）/Pxという公式を用いて算出し、
前記複数の表示ユニットの解像度、前記スプライススクリーンの垂直綴り幅の和と前記複数の表示ユニットの垂直画素ピッチに基づいて、前記スプライススクリーンの垂直引伸し係数を算出する前記ステップは、（Py+(Vt/N)/B）/Pyという公式を用いて算出し、
ここでPxは各表示ユニットの同じ行に位置する前記画素ユニットの個数であり、Pyは各表示ユニットの同じ列に位置する前記画素ユニットの個数であり、Htは前記水平綴り幅の和であり、Vtは前記垂直綴り幅の和であり、Aは前記水平画素ピッチであり、Bは前記垂直画素ピッチであり、MとNはそれぞれ前記スプライススクリーンが備える前記複数の表示ユニットのアレイの列数と行数である。
【００１１】
一実施例において、
前記水平引伸し係数と前記垂直引伸し係数に基づいて、前記スプライススクリーンの表示しようとする初期画像を引き伸ばし、ターゲット画像を得る前記ステップは、
前記水平引伸し係数と前記垂直引伸し係数に基づいて、前記スプライススクリーンの表示しようとする初期画像を補間アルゴリズムにより引き伸ばし、ターゲット画像を得るステップを含む。
【００１２】
一実施例において、
前記複数の表示ユニットのうちの任意の表示ユニットにおいて同じ行に隣接して位置する任意の2つの前記画素ユニット間のピッチを取得する前記ステップは、距離測定ユニットにより当該ピッチを取得することを含み、
前記複数の表示ユニットのうちの任意の表示ユニットにおいて同じ列に隣接して位置する任意の2つの前記画素ユニット間のピッチを取得する前記ステップは、距離測定ユニットにより当該ピッチを取得することを含む。
【００１３】
本願の二形態では、
アレイ状に配置された複数の表示ユニットを含み、各前記表示ユニットがアレイ状に配置された複数の画素ユニットを含むスプライススクリーンの画像処理装置であって、
前記複数の表示ユニットの解像度、前記スプライススクリーンの水平綴り幅の和と前記複数の表示ユニットの水平画素ピッチに基づいて、前記スプライススクリーンの水平引伸し係数を算出し、前記複数の表示ユニットの解像度、前記スプライススクリーンの垂直綴り幅の和と前記複数の表示ユニットの垂直画素ピッチに基づいて、前記スプライススクリーンの垂直引伸し係数を算出するための中央プロセッサと、
前記水平引伸し係数と前記垂直引伸し係数に基づいて、前記スプライススクリーンの表示しようとする初期画像を引き伸ばし、ターゲット画像を得るための画像引伸しユニットと、
前記ターゲット画像に基づいて前記スプライススクリーンにおける各前記表示ユニットの表示を制御するための制御ユニットと、を備える、
スプライススクリーンの画像処理装置を提供する。
【００１４】
一実施例において、前記画像処理装置は、
同じ行に隣接して位置する各2つの前記表示ユニット間の各水平綴り幅を取得するための第1距離測定ユニットと、
同じ列に隣接して位置する各2つの前記表示ユニット間の各垂直綴り幅を取得するための第2距離測定ユニットと、
前記各水平綴り幅に基づいて水平綴り幅の和を算出し、前記各垂直綴り幅に基づいて垂直綴り幅の和を算出する第1算出ユニットとを含む。
【００１５】
一実施例において、
前記スプライススクリーンの前記複数の表示ユニットは同じ解像度を有し、
前記中央プロセッサはさらに、前記複数の表示ユニットのうちの任意の表示ユニットにおいて同じ行に隣接して位置する任意の2つの前記画素ユニット間のピッチを前記水平画素ピッチとして取得することに用いられ、
前記中央プロセッサはさらに、前記複数の表示ユニットのうちの任意の表示ユニットにおいて同じ列に隣接して位置する任意の2つの前記画素ユニット間のピッチを前記垂直画素ピッチとして取得することに用いられる。
【００１６】
一実施例において、
前記制御ユニットは、
前記複数の表示ユニットの解像度、前記水平画素ピッチ、前記垂直画素ピッチ、前記各水平綴り幅および前記各垂直綴り幅に基づいて、前記表示ユニットごとの各頂点画素ユニットの位置情報を算出するための分析サブユニットと、
前記表示ユニットごとの各頂点画素ユニットの位置情報に基づいて、前記ターゲット画像において当該表示ユニットに対応するサブターゲット画像を切り取るための切取りサブユニットと、
前記複数の表示ユニットの表示しようとするサブターゲット画像に基づいて、前記複数の表示ユニットを制御し表示を行なうための制御サブユニットと、を含む。
【００１７】
一実施例において、前記第1距離測定ユニットおよび第2距離測定ユニットはそれぞれ赤外線距離測定センサまたは赤外線距離測定器を含む。
【００１８】
一実施例において、前記第1距離測定ユニットおよび第2距離測定ユニットはそれぞれ赤外線発信器および赤外線受信器を含み、前記第1距離測定ユニットの赤外線発信器と赤外線受信器はそれぞれ各前記表示ユニットの行方向の2つの対向辺上にあり、前記第2距離測定ユニットの赤外線発信器と赤外線受信器はそれぞれ各前記表示ユニットの列方向の2つの対向辺上にある。
【００１９】
一実施例において、前記第1算出ユニットは前記中央プロセッサに統合されている。
【００２０】
一実施例において、前記画像引伸しユニットはFPGAを含む。
【００２１】
一実施例において、前記制御ユニットは汎用プロセッサ、画像プロセッサ（GPU）、およびマイクロプロセッサのうちの少なくとも1つを含む。
【００２２】
本願の三形態では、本公開の上記実施例のいずれか1つに記載のスプライススクリーンの画像処理装置を含むスプライススクリーンを提供する。
【００２３】
一実施例において、前記スプライススクリーンはアレイ状に配置された前記複数の表示ユニットをさらに備え、前記複数の表示ユニットはそれぞれ前記画像引伸しユニットに接続され、また前記画像引伸しユニットは前記制御ユニットに接続される。
【００２４】
一実施例において、前記スプライススクリーンは、コンピュータプログラム命令と画像処理関連のデータとを記憶し、前記コンピュータプログラム命令が前記中央プロセッサによって実行される際に、第1算出ユニットおよび/または前記取得ユニットとして機能するメモリをさらに含む。
【図面の簡単な説明】
【００２５】
【図１】本願の実施例に係るスプライススクリーンにおける各表示ユニットの配置図である。
【図２】本願の実施例に係るスプライススクリーンの画像処理方法のフローチャートである。
【図３】図２の実施例に係るスプライススクリーンの画像処理方法のステップＳ６のフローチャートである。
【図４】本願の実施例に係るスプライススクリーンの画像処理装置の構成図である。
【図５】本願の実施例に係るスプライススクリーンの画像処理装置と複数の表示ユニットとを組み合わせた構成を示す図である。
【図６】本願の実施例に係るスプライススクリーンの画像処理装置の他の構成を示す図である。
【図７】スプライススクリーンに表示した画像におけるずれ現象を本願の構想により低減または解消することを概略的に示す原理図である。
【発明を実施するための形態】
【００２６】
当業者が本公開の技術案をより理解できるよう、以下に図面および例示的な実施の形態を示しながら、本公開についてさらに詳細に説明する。
【００２７】
本発明構想の発明者は、スプライススクリーンにおいては、複数の表示ユニット（例えば複数のディスプレイ）を互いにアレイ状に接続することにより、スプライススクリーンとすることができることを発見した。各表示ユニットは包辺工法（各表示ユニットには情報を表示できない周辺領域がある）を採用しているため、複数の表示ユニットを並べたスプライススクリーンには物理的なベゼルが存在する。物理ベゼルのサイズは減少の一途ではあるものの、スプライススクリーンの上記形成方法では物理ベゼルを完全に除去することはできない。スプライススクリーンにおける各表示ユニットはベゼル幅ゼロでは並べることができないため、スプライススクリーンの複数の表示ユニットに表示する画像にはズレなどの不具合が生じ、スプライススクリーンに表示した画像全体を一体化させることができない。例えば、図7の左側の図には、横に並べた2つの表示ユニットを含むスプライススクリーンに一枚の矩形画像の左半分と右半分を表示した状況が示されている。スプライススクリーンにはベゼル（即ち図7の左図中の太い縦線）があるため、当該スプライススクリーンに表示した矩形画像の対角線はずれている。
【００２８】
よって本公開の実施の形態では、上記のようなずれ現象（例えば図7の右図）を低減または解消することができる、スプライススクリーンの画像処理方法、スプライススクリーンの画像処理装置、およびスプライススクリーンを提供する。
【００２９】
図1〜6に示すように、本公開のいくつかの実施の形態は、スプライススクリーンの画像処理方法を提供する。例えば、スプライススクリーンはアレイ状に配置された複数の表示ユニット10を含み、各表示ユニット10はアレイ状に配置された複数の画素ユニット（図1の右下に示す）を含む。説明を容易にするために、本実施の形態では、スプライススクリーンがN×M（MとNは正の整数）の表示ユニット10を含むこととし、各前記表示ユニット10の解像度がPx×Py（PxとPyはいずれも正の整数）である（即ち、各前記表示ユニット10の各行はPx個の画素ユニットを有し、各前記表示ユニット10の各列はPy個の画素ユニットを有する）状態を例として、実施例における画像処理方法を説明する。一実施の形態では、スプライススクリーンの画像処理方法は以下のステップS1からステップS6を含むことができる。他の実施の形態では、スプライススクリーンの画像処理方法は以下のステップS4からステップS6のみを含むことができる。
【００３０】
ステップS1においては、同じ行に隣接して位置する各2つの表示ユニット10間の各水平綴り幅Hbと、同じ列に隣接して位置する各2つの表示ユニット10間の各垂直綴り幅Vbとを取得する。
【００３１】
当該ステップS1では具体的に、距離測定ユニット（例えば赤外線距離測定センサや赤外線距離測定器）21（図4および図6を参照）により、同じ行のM個の表示ユニット10に隣接して位置する各2つの表示ユニット10間の（M-1）個の水平綴り幅Hbの値を取得することができ、同じ方法で、距離測定部21により同じ列のN個の表示ユニット10に隣接して位置する2つの表示ユニット10間の（N-1）個の垂直綴り幅Vbの値を取得することができる。
【００３２】
ステップS2においては、各水平綴り幅Hbに基づいて水平綴り幅Hbの和Htを算出し、各垂直綴り幅Vbに基づいて垂直綴り幅Vbの和Vtを算出する。
【００３３】
当該ステップS2では具体的に、中央プロセッサ30の第1算出ユニット31（図4および図6を参照）により、ステップS1で取得した（M-1）個の水平綴り幅Hbを合計し、（M-1）個の水平綴り幅Hbの和Htを得ることができる。同様に、第1算出ユニット31により（N-1）個の垂直綴り幅Vbの和Vtを算出することができる。
【００３４】
ステップS3においては、前記スプライススクリーンの前記複数の表示ユニット10が同じ解像度を有する場合、任意の表示ユニット10において同じ行に隣接して位置する各2つの画素ユニット（例えば、任意の隣接する2つの画素ユニットの幾何学的中心）間の距離を取得して水平画素ピッチAとし、同じ列に隣接して位置する任意の2つの画素ユニット間の距離を取得して垂直画素ピッチBとする。
【００３５】
当該ステップS3では例えば、取得ユニット22（例えば中央プロセッサ、汎用プロセッサ、マイクロプロセッサなど）を用いて（図4および図6を参照）、メモリ60（図6を参照）に予め記憶されている、同じ行に隣接して位置する任意の2つの画素ユニット間の水平画素ピッチAと同じ列に隣接して位置する任意の2つの画素ユニット間の垂直画素ピッチBを直接取得することができる。当然ながら、距離測定機能を有するモジュール（例えば距離測定ユニット21）を用いて、任意の表示ユニット10の任意の隣接する2つの画素間の間隔を測定しても良い。なお説明の便宜上、本実施の形態では各表示ユニット10における画素ユニットの分布は同一とした。即ち、各表示ユニット10において水平画素ピッチAと垂直画素ピッチBはそれぞれ同一である。とはいえ本発明の構想は、水平画素ピッチAおよび/または垂直画素ピッチBが不均一となっている各表示ユニット10によって形成されるスプライススクリーンにも適用できる。
【００３６】
ステップS4においては、各前記表示ユニット10の解像度、前記水平綴り幅の和Htおよび前記水平画素ピッチAから当該表示ユニット10の水平引伸し係数を算出し、各前記表示ユニット10の解像度、前記垂直綴り幅の和Vtおよび垂直画素ピッチBから当該表示ユニット10の垂直引伸し係数を算出する。
【００３７】
なお、前記スプライススクリーンの前記複数の表示ユニット10が同じ解像度を有する場合、各前記表示ユニット10の水平引伸し係数と垂直引伸し係数は、スプライススクリーン全体の水平引伸し係数と垂直引伸し係数に等しい。この場合、当該ステップS4では例えば、中央プロセッサ30または当該中央プロセッサ30の第2算出ユニット32（図4および図6を参照）を用いて、式（Px＋（Ht/M）/A）/Pxにより前記スプライススクリーン（即ち各前記表示ユニット10）の水平引伸し係数を算出し、式（Py＋（Vt/N）/B）/Pyを用いて前記スクリーン（即ち各前記表示ユニット10）の垂直引伸し係数を算出することができる。ここでPxは各表示ユニット10の同じ行に位置する画素ユニットの個数であり、Pyは各表示ユニット10の同じ列に位置する画素ユニットの個数であり、Htは水平綴り幅の和であり、Vtは垂直綴り幅の和であり、Aは水平画素ピッチであり、Bは垂直画素ピッチであり、MとNはそれぞれスプライススクリーンに含まれる前記複数の表示ユニット10のアレイの列数と行数である（図1に示す通り）。
【００３８】
前記スプライススクリーンの前記複数の表示ユニット10が同じ水平画素ピッチA、同じ垂直画素ピッチB、および異なる解像度を有する場合、当該ステップS4では例えば、中央プロセッサ30または当該中央プロセッサ30の第2算出ユニット32（図4および図6を参照）を用いて、式（Pxt＋Ht/A）/Pxtにより前記スプライススクリーンの水平引伸し係数を算出し、式(Pyt+Vt/B)/Pytにより前記スプライススクリーンの垂直引伸し係数を算出することができる。ここでPxtは同じ行にある全ての表示ユニット10の画素ユニットの個数であり、Pyは同じ列にある全ての表示ユニット10の画素ユニットの個数であり、Htは水平綴り幅の和であり、Vtは垂直綴り幅の和であり、Aは水平画素ピッチであり、Bは垂直画素ピッチである。
【００３９】
ステップS5においては、水平引伸し係数と垂直引伸し係数に基づいて、スプライススクリーンの表示しようとする初期画像を引き伸ばし、ターゲット画像を得る。ここで引伸しで得られたターゲット画像のサイズはスプライススクリーンのサイズと同じである。例えば、スプライススクリーンのサイズは、スプライススクリーンに含まれる前記複数の表示ユニット10の表示面積と、図1に示されている複数の水平ベゼルと複数の垂直ベゼルとを含む。
【００４０】
当該ステップS5では、水平引伸し係数と垂直引伸し係数に基づいて、スプライススクリーンの表示しようとする初期画像を補間アルゴリズムにより引き伸ばし（または拡大し）、ターゲット画像を得ることができる。補間アルゴリズムは例えば、双線形補間（bilinear）アルゴリズムまたは二重三次補間（bicubic）アルゴリズムとすることができる。当然ながら、画像の引伸しアルゴリズムは上記のアルゴリズムに限定されず、表示しようとする画像を水平引伸し係数と垂直引伸し係数に基づいて引き伸ばすことができさえすればよい。
【００４１】
具体的には、画像引伸しユニット（例えばフィールドプログラマブルゲートアレイFPGA）40（図4および図6を参照）を用いて、スプライススクリーンの表示しようとする画像を引き伸ばすことができる。例えば、前記スプライススクリーンの前記複数の表示ユニット10が同じ解像度を有する場合、表示しようとする初期画像の引伸し前の解像度は前記複数の表示ユニット10の解像度の和に等しくしてもよい。、即ち、表示する初期画像の解像度は（M×Px）×（N×Py）であっても良い。このとき、ステップS4で取得した水平引伸し係数と垂直引伸し係数に従って引伸しして得たターゲット画像の解像度は、（M×Px＋Ht/A）×（N×Py＋Vt/B）である。
【００４２】
ステップS6においては、ターゲット画像に基づいてスプライススクリーンにおける各表示ユニット10の表示を制御する。
【００４３】
図3に示すように、一実施形態においてステップS6は、以下のステップS61からステップS63までを含むことができる。
【００４４】
ステップS61においては、前記複数の表示ユニット10の解像度、水平画素ピッチA、垂直画素ピッチB、各水平綴り幅Hb、各垂直綴り幅Vbに基づいて、表示ユニット10ごとの各頂点画素ユニットの位置情報を算出する。
【００４５】
またステップS61では、同じ行に隣接して位置する各2つの表示ユニット10間の綴り幅がいずれもHbであり、同じ列に隣接して位置する各2つの表示ユニット10間の綴り幅はいずれもVbであると仮定する。この場合、同じ行に隣接して位置する任意の2つの画素ユニット間の水平画素ピッチAと、同じ列に隣接して位置する任意の2つの画素ユニット間の垂直画素ピッチBが既にステップS3で取得されているため、ベゼル位置に幾つの画素ユニットを設置できるかを確認することができる。そして図1に示すように、各表示ユニット10の行方向をX軸とし各表示ユニット10の列方向をY軸として、二次元座標系を構築する。例えば、前記各表示ユニット10における各画素ユニットの位置情報、各水平綴りHbおよび各垂直綴りVbの箇所に設置可能な各画素ユニットの位置情報は、いずれも（x，y）座標点で表されており、この場合、各表示ユニット10の4つの頂点位置（即ち左上角、右上角、左下角、右下角）の画素ユニットの座標点を得ることができる。例えば、第1行に位置する第2の表示ユニット10（即ち図1に示すアレイ要素（1、2））の左上隅位置の画素ユニットの座標は（Px+Hb/A，1）であり、右上隅位置の画素ユニットの座標は（2Px+Hb/A，1）であり、左下隅位置の画素ユニットの座標は（Px+Hb/A，Py）であり、右下隅位置の画素ユニットの座標は（2Px+Hb/A，Py）である。このようにして、各表示ユニット10の4つの頂点における画素ユニットの座標を計算することができる。
【００４６】
ステップS62においては、各表示ユニット10の各頂点画素ユニットの位置情報に基づいて、ターゲット画像において表示ユニット10に対応するサブターゲット画像を切り取る。なお、当該ステップで切り取ったサブターゲット画像は、対応する表示ユニット10の頂点画素ユニットの座標点によりターゲット画像内に規定される矩形領域である。各矩形領域のサイズは、これに対応する表示ユニット10の表示領域のサイズに等しい。
【００４７】
また当該ステップでは、制御ユニット（例えば汎用プロセッサ、マイクロプロセッサ、グラフィックプロセッサ（GPU）など）50における切り取りサブユニット52（図6を参照）によりターゲット画像を切り取り、上記ステップで取得した各表示ユニット10の4つの頂点位置の画素ユニット座標によって限定される領域をもって、各表示ユニット10が表示するサブターゲット画像を得ることができる。
【００４８】
ステップS63においては、前記複数の表示ユニット10が表示しようとするサブターゲット画像に基づいて、対応する表示ユニット10を制御し表示を行なう。例えば、サブターゲット画像のサイズは対応する表示ユニット10のサイズと等しくしてもよく、サブターゲット画像の解像度は対応する表示ユニット10の解像度と等しくしてもよい。
【００４９】
以上、本公開のいくつかの実施の形態によるスプライススクリーンの画像処理方法（または画像表示方法）について説明した。
【００５０】
なお上記の各ステップにおいては、ステップS1とステップS3を統合してベゼル幅Hb、Vbと画素ピッチA、Bを同時に取得しても良いし、画素ピッチA、Bを先に取得してからベゼル幅Hb、Vbを取得しても良い。
【００５１】
本実施の形態のスプライススクリーンの画像処理方法では、任意の隣接する2つの表示ユニット10間の綴り位置に画素ユニットを仮想的に配置した上で、表示しようとする初期画像を引き伸ばして、スプライススクリーン上に表示するのに適したターゲット画像を得た後、ターゲット画像に応じて前記複数の表示ユニット10を制御し表示を行なった。これにより画質が比較的均一な表示画像を得ることを可能にし、スプライススクリーンの綴り目で画像がずれる問題を効果的に解決している。
【００５２】
図4〜図6に示すように、本公開の実施の形態は、スプライススクリーンの画像処理装置と、当該画像処理装置を適用したスプライススクリーンを提供する。例えば、スプライススクリーンはアレイ状に配置された複数の表示ユニット10を含み、各表示ユニット10はアレイ状に配置された複数の画素ユニットを含む。画像処理装置は図2及び図3に対応する実施の形態における画像処理方法を用いて、スプライススクリーンの表示しようとする初期画像を処理することができる。
【００５３】
図4〜図6に示すように、本実施の形態における画像処理装置は、前記距離測定ユニット21、前記取得ユニット22、前記第1算出ユニット31、前記第2算出ユニット32、前記画像引伸しユニット40および前記制御ユニット50を含むことができる。例えば距離測定ユニット21は、同じ行に隣接して位置する各2つの表示ユニット10間の各水平綴り幅Hbと、同じ列に隣接して位置する各2つの表示ユニット10間の各垂直綴り幅Vbを取得するためのものである。第1算出ユニット31は、各水平綴り幅Hbに基づいて水平綴り幅の和Htを算出し、各垂直綴り幅Vbに基づいて垂直綴り幅の和Vtを算出するためのものである。取得ユニット22は、任意の前記表示ユニット10において同じ行に隣接して位置する任意の2つの画素ユニット間の水平画素ピッチAと、同じ列に隣接して位置する任意の2つの画素ユニット間の垂直画素ピッチBとを取得するものである。第2算出ユニット32は、各表示ユニット10の解像度、スプライススクリーンの水平綴り幅の和Ht、水平画素ピッチAから、スプライススクリーンの水平引伸し係数を算出し、各表示ユニット10の解像度、スプライススクリーンの垂直綴り幅の和Vt、垂直画素ピッチBから、スプライススクリーンの垂直引伸し係数を算出する。画像引伸しユニット40は、水平引伸し係数と垂直引伸し係数に基づいて、スプライススクリーンの表示しようとする初期画像を引き伸ばし、ターゲット画像を得る。制御ユニット50は、ターゲット画像に基づいてスプライススクリーンの各表示ユニット10の表示を制御するものである。
【００５４】
以下、上記画像処理装置の各部についてさらに説明する。
【００５５】
例えば、本実施の形態における距離測定ユニット21は赤外線距離測定センサまたは赤外線距離測定器を用いてもよい。一実施例において、各距離測定ユニット21は赤外線発信器21aと赤外線受信器21bとを含むことができる。各前記表示ユニット10の行方向の2つの対向辺上に、距離測定ユニット21（例えば、第1距離測定ユニット）の赤外線発信器21aと赤外線受信器21bをそれぞれ設けてもよく、また各前記表示ユニット10の列方向の2つの対向辺上に、距離測定ユニット21（例えば、第2距離測定ユニット）の赤外線発信器21aと赤外線受信器21bを設け、各赤外線受信器21bの受光面とそれに対応する接合箇所とを整合させてもよい。また、各距離測定ユニット21は中央プロセッサ30に接続されている。このようにして、中央プロセッサ30は各距離測定ユニット21の赤外線発信器21aにより赤外線を発信するように各距離測定ユニット21を制御し、当該距離測定ユニット21の赤外線受信器21bにより赤外線を受信することができる。中央プロセッサ30は、赤外線を受信した時刻と赤外線を発信した時刻との間の時間長及び赤外線の伝播速度に基づき、赤外線受信器21bとそれに対応する赤外線発信器21aとの間の距離を算出し、この距離から対応する表示ユニット10の幅または高さを差し引いて、水平綴り幅Hbまたは垂直綴り幅Vbを得ることができる。これにより任意の隣接する2つの表示ユニット10間の綴り幅Hb、Vbを測定できる。当然ながら、距離測定のための距離測定ユニット21は赤外線距離測定センサや赤外線距離測定器に限定されず、距離測定機能を有する他のユニット（例えば、距離測定器テレメータ）であってもよい。
【００５６】
例えば、本実施の形態における第1算出ユニット31と第2算出ユニット32は同一の算出ユニットに統合してもよい。当該算出ユニットは例えば、中央プロセッサ（または汎用プロセッサ、デジタル信号プロセッサ、マイクロプロセッサなど）30とすることができる。即ち、第1算出ユニット31と第2算出ユニット32の機能は中央プロセッサ30（図6に示す通り）によって実現されてもよい。
【００５７】
例えば、本実施の形態における画像引伸しユニット40はFPGAを含むことができるが、FPGAに限定されず、画像引伸しユニット40の前記機能を有する他の論理プログラマブルユニットであってもよい。
【００５８】
例えば、制御ユニット50（例えば汎用プロセッサ、マイクロプロセッサ、GPUなど）は、図6に示すように、分析サブユニット51、切取りサブユニット52および制御サブユニット53を含む。また前記画像処理装置はさらに、中央プロセッサ30に接続されたメモリ（例えば不揮発性メモリ）60を含んでもよい。一実施例において制御ユニット50は、メモリ60に記憶されたコンピュータプログラム命令を中央プロセッサ30や汎用プロセッサ、マイクロプロセッサなどにより実行し、分析サブユニット51、切取りサブユニット52および制御サブユニット53として機能してもよい。一実施例では、コンピュータプログラム命令はメモリ60に記憶させてもよく、当該コンピュータプログラム命令が中央プロセッサ30によって実行される際、中央プロセッサ30は前記第1算出ユニット31、前記第2算出ユニット32および前記取得ユニットとして機能する。一実施例において、中央プロセッサ30は前記画像処理装置またはスプライススクリーンの全体的な動作を制御することができる。
【００５９】
具体的には、分析サブユニット51は各表示ユニット10の解像度、水平画素ピッチA、垂直画素ピッチB、各水平綴り幅Hbおよび各垂直綴り幅Vbに基づいて、各表示ユニット10の各頂点画素ユニットの位置情報を算出する。切取サブユニット52は各表示ユニット10の各頂点画素ユニットの位置情報に基づいて、ターゲット画像内で各表示ユニット10に対応するサブターゲット画像を切り取る。制御部53は各表示ユニット10が表示しようとするサブターゲット画像に基づき、対応する表示部10を制御して表示を行なう。
【００６０】
例えば、分析サブユニット51は水平画素ピッチA、垂直画素ピッチB、各水平綴り幅Hbおよび各垂直綴り幅Vbに基づき、各水平綴りHbおよび垂直綴りVbの箇所に設置可能な画素ユニットの個数を算出し、各表示ユニット10の解像度および算出した各水平綴りHbおよび垂直綴りVbの箇所に設置可能な画素ユニットの個数に基づき、スプライススクリーンのターゲット解像度を取得することができる。あるいは当該分析サブユニット51は選択的に、各表示ユニット10の行方向をX軸とし各表示ユニット10の列方向をY軸として、二次元座標系を確立してもよい。例えば、各表示ユニット10における各画素ユニットの位置情報、および各水平綴りHbと各垂直綴りVbの箇所に設置可能な各前記画素ユニットの位置情報は、いずれも（x，y）座標点により表せる。その場合、上記画素ユニットの座標点情報を取得した後、各表示ユニット10の4つの頂点位置の画素ユニットの座標点情報を抽出する。これにより、切取サブユニット52は各表示ユニット10における4つの頂点位置の前記画素ユニットの座標点に基づき、当該4つの座標点により限定された領域に対応するサブターゲット画像を切り取ることができる。なお切取サブユニット52が切り取る領域は、各表示ユニット10の4つの頂点画素ユニットの座標点によりターゲット画像内で限定された矩形領域である。各矩形領域のサイズは、それに対応する表示ユニット10の表示領域のサイズと等しくすることができる。そして制御サブユニット53は、各表示ユニット10が表示しようとするサブターゲット画像に基づいて、対応する表示ユニット10を制御し表示を行なうことができる。例えば、サブターゲット画像のサイズは表示ユニット10の表示領域のサイズと等しくすることができ、サブターゲット画像の解像度は表示ユニット10の解像度と等しくすることができる。
【００６１】
本実施例のスプライススクリーンの画像処理装置では、隣接する任意の2つの表示ユニット10間の綴り目位置に画素ユニットを仮想的に設置し、表示しようとする初期画像を引き伸ばして、スプライススクリーンでの表示に適したターゲット画像を得ている。その後、ターゲット画像に基づいてスプライススクリーンにおける複数の表示ユニット10を制御し、そのターゲット画像を一斉に表示した。これにより、画質が比較的均一な表示画像を得ることを可能になり、スプライススクリーンの綴り目により画像がずれる問題を効果的に解決している。
【００６２】
同様に、本公開の実施の形態は図5に示すようなスプライススクリーンを提供する。当該スプライススクリーンは、図4または図6の実施例による画像処理装置および前記複数の表示ユニット10を含むことができる。例えば、前記複数の表示ユニット10は前記画像引伸しユニット40にそれぞれ接続されてもよく、前記画像引伸し部40は前記制御ユニット50に接続されてもよい。なお図5には示されていないが、図5のスプライススクリーンはまた、図6に示すような中央プロセッサ30とメモリ60を含んでもよいと理解されたい。上記の通り、当該スプライススクリーンは、既知のスプライススクリーンにあったような、ベゼルにより画像の位置がずれる問題を効果的に低減または解消することができる。
【００６３】
このほか、本公開の各表示ユニット10は液晶表示装置、有機発光ダイオード（OLED）表示装置などの表示装置であってもよいと理解されたい。また上記の各実施の形態は、明らかな矛盾が生じない限り互いに組み合わせることができる。
【００６４】
以上の実施の形態は本公開の原理を説明するために用いた例示的な実施の形態にすぎず、本公開はこれに限定されない。当業者は本公開の精神と本質から逸脱しない限り様々な変形と改良を行なうことができ、そういった変形および改良も本公開の請求範囲に該当する。
【符号の説明】
【００６５】
１０  表示ユニット
２１  距離測定ユニット
２２  取得ユニット
３０  中央プロセッサ
３１  第１算出ユニット
３２  第２算出ユニット
４０  画像引伸しユニット
５０  制御ユニット
５１  分析サブユニット
５２  切取りサブユニット
５３  制御サブユニット
６０  メモリ
【図１】
2021531488.tif 000003
【図２】
2021531488.tif 000004
【図３】
2021531488.tif 000005
【図４】
2021531488.tif 000006
【図５】
2021531488.tif 000007
【図６】
2021531488.tif 000008
【図７】
2021531488.tif 000009
【国際調査報告】
2021531488.tif 000010
2021531488.tif 000011
2021531488.tif 000012
2021531488.tif 000013